(57)【要約】【課題】  連続で使用しても汚物を洗い流す手間が少なく、また、必要な水量も少ない簡易式便器および簡易式便所を提供すること。【解決手段】  汚物を受ける便器本体２上に便座３を備える簡易式便器１であって、ポリタンク１００の上部に便器本体２を着脱する着脱部４と、便器本体２からポリタンク１００の給排口１０１に接続され、便器本体部２の汚物をポリタンク１００に排出する排出部５とを具備する。【選択図】        図２
2007061114.tif 000002
【特許請求の範囲】
【請求項１】
汚物を受ける便器本体上に便座を備える簡易式便器であって、
ポリタンクの上部に前記便器本体を着脱する着脱部と、
前記便器本体部から前記ポリタンクの給排口に接続され、前記便器本体部の汚物を前記ポリタンクに排出する排出部と
を具備することを特徴とする簡易式便器。
【請求項２】
前記便器本体は、前記着脱部を前記ポリタンクに装着した際に、前記排出部が最も低くなるように傾斜して形成されていることを特徴とする請求項１記載の簡易式便器。
【請求項３】
少なくとも前記ポリタンクの長手方向両側の底部に着脱可能に形成され、所定の高さを有する基台を具備することを特徴とする請求項１又は２記載の簡易式便器。
【請求項４】
便器と間仕切りとを備える簡易式便所であって、
ポリタンクの上部に前記便器本体を着脱する着脱部と、前記便器本体部から前記ポリタンクに接続され、前記便器本体部の汚物を前記ポリタンクの給排口に排出する排出部と、を有する便器と、
前記便器の周囲を囲む間仕切板と、
を具備することを特徴とする簡易式便所。
【請求項５】
便器と間仕切りとを備える簡易式便所であって、
ポリタンクの上部に前記便器本体を着脱する着脱部と、前記便器本体部から前記ポリタンクに接続され、前記便器本体部の汚物を前記ポリタンクの給排口に排出する排出部と、を有する便器と、
前記便器の周囲を囲む複数の間仕切板と、
複数の前記間仕切板同士を結合する結合手段と
を具備することを特徴とする簡易式便所。
【請求項６】
前記間仕切板の内部と外部とをつなぐ通路を形成する開閉手段を有すると共に、前記間仕切板の周囲を覆うカバーを具備することを特徴とする請求項４又は５記載の簡易式便所。
【請求項７】
前記カバーは、上部が透明又は半透明に形成されると共に、側部が不透明に形成されることを特徴とする請求項６記載の簡易式便所。
【発明の詳細な説明】
【技術分野】
【０００１】
この発明は、災害等の緊急時に使用する簡易式便器に関するものである。
【背景技術】
【０００２】
従来、簡易式便器としては種々のものがある。例えば、乳幼児用のおまるのように内部に汚物を溜める便器であって、使用毎に糞尿等の汚物を洗い流すような構造は古くから良く知られている。
【発明の開示】
【発明が解決しようとする課題】
【０００３】
しかしながら、おまるは使用毎に汚物を洗い流す必要があるため、連続で使用するのには不向きであった。また、大地震など大災害時には、おまるの汚物を洗い流すための十分な水量を確保することは難しいという問題もあった。
【０００４】
そこで本発明は、連続で使用しても汚物を洗い流す手間が少なく、また、必要な水量も少ない簡易式便器および簡易式便所を提供することを目的とする。
【課題を解決するための手段】
【０００５】
上記目的を達成するために、本発明の簡易式便器は、汚物を受ける便器本体上に便座を備える簡易式便器であって、ポリタンクの上部に前記便器本体を着脱する着脱部と、前記便器本体部から前記ポリタンクの給排口に接続され、前記便器本体部の汚物を前記ポリタンクに排出する排出部とを具備することを特徴とする。
【０００６】
この場合、前記便器本体は、前記着脱部を前記ポリタンクに装着した際に、前記排出部が最も低くなるように傾斜して形成される。また、少なくとも前記ポリタンクの長手方向両側の底部に着脱可能に形成され、所定の高さを有する基台を具備する方が好ましい。
【０００７】
また、本発明の簡易式便所は、便器と間仕切りとを備える簡易式便所であって、ポリタンクの上部に前記便器本体を着脱する着脱部と、前記便器本体部から前記ポリタンクに接続され、前記便器本体部の汚物を前記ポリタンクの給排口に排出する排出部と、を有する便器と、前記便器の周囲を囲む間仕切板と、を具備することを特徴とする。
【０００８】
また、本発明の別の簡易式便所は、便器と間仕切りとを備える簡易式便所であって、ポリタンクの上部に前記便器本体を着脱する着脱部と、前記便器本体部から前記ポリタンクに接続され、前記便器本体部の汚物を前記ポリタンクの給排口に排出する排出部と、を有する便器と、前記便器の周囲を囲む複数の間仕切板と、複数の前記間仕切板同士を結合する結合手段と、を具備することを特徴とする。
【０００９】
この場合、前記間仕切板の内部と外部とをつなぐ通路を形成する開閉手段を有すると共に、前記間仕切板の周囲を覆うカバーを具備する方が好ましい。更に、前記カバーは、上部が透明又は半透明に形成されると共に、側部が不透明に形成される方が好ましい。
【発明の効果】
【００１０】
本発明によれば、簡単に組み立てることができると共に、連続で使用しても汚物を洗い流す手間が少なく、また、必要な水量も少なくすることができる。
【発明を実施するための最良の形態】
【００１１】
本発明の簡易式便器１は、糞尿等の汚物を受ける便器本体２上に便座３を備える簡易式便器であって、ポリタンク１００の上部に便器本体２を着脱する着脱部４と、便器本体２部からポリタンク１００に接続され、便器本体２部の汚物をポリタンク１００に排出する排出部５と、少なくともポリタンク１００の長手方向両側の底部に着脱可能に形成され、所定の高さを有する基台６と、から主に構成される。
【００１２】
ここで、この発明に用いられるポリタンク１００とは、一般家庭で通常用いられる樹脂製の容器であって、灯油や水などの液体を貯蔵するものを意味する。このポリタンク１００は、通常灯油や水等の液体を給排する二つの給排口１０１を有しており、そのうちの一方は、ポリタンク１００内の液体を排出し易いように傾斜が設けられている。ポリタンク１００の容量はどんなものでも良いが、例えば、１８〜２０Ｌのものを用いることができる。
【００１３】
便器本体２は、図１、図２に示すように、着脱部４をポリタンク１００に装着した際に、排出部５が最も低くなるように傾斜して形成され、水等の液体を受けると必ず排出部５へと流れるように形成されている。この場合、便器本体２の傾斜は、ポリタンク１００の給排口１０１のうち傾斜が形成されている部分に合わせて形成すると簡易式便器１をコンパクトに形成できる点で有利である。
【００１４】
便座３は、例えば洋式便器のＯ字状の便座や、Ｕ字状の便座と同様のものを用いることができ、便器本体２とは、ヒンジ部２３によって回動可能に結合されている。また、図示しないが、蠅や蚊などの虫が便器本体２内やポリタンク１００内に進入するのを防止するために、便座３の上部に適宜蓋を設けてもよい。
【００１５】
着脱部４は、人が簡易式便器１に座った時に、ポリタンク１００に対し便器本体２を水平に保持できるものであればどのようなものでも良いが、例えば、図２に示すように、便器本体２の下方に筒状に延出する着脱部本体４１と、ポリタンク１００の上部の形状に合わせて着脱部本体４１の内側に水平に延出する係止片４２とを形成し、ポリタンク１００にキャップ状に嵌合するものを用いることができる。なお、係止片４２は、ポリタンク１００上面のうち、長手方向側面に設けても、短手方向側面に設けても良く、また、長手方向側面と短手方向側面の両方に設けたり、ポリタンク１００上面全体に設けたりしても良い。
【００１６】
排出部５は、便器本体２の最下部に筒状に形成されるもので、灯油や水等を給排するポリタンク１００の給排口１０１に接続されて、便器本体２が受けた汚物をポリタンク１００に排出する。この際、排出部５は、ポリタンク１００の二つの給排口１０１のうち傾斜が設けられている側の給排口１０１に接続するように形成される。これにより、便器本体２が受けた糞尿等の汚物を円滑にポリタンク１００内へ排出することができる。
【００１７】
基台６は、少なくともポリタンク１００の長手方向両側の底部に着脱可能に形成され、所定の高さを有するものであればどのようなものでも良いが、例えば図３に示すように、ポリタンク１００の底部と同形の凹部を有する略コ字状に形成された第１の基台６１と第２の基台６２とで構成すれば良い。この第１の基台６１と第２の基台６２とでポリタンク１００の底部を挟持することにより、ポリタンク１００に装着した便器本体２に人が座した際に、ポリタンク１００が転倒するのを防止することができる。また、基台６の高さを種々の高さに設定することで、便器本体２に人が座した際の高さを調節することもできる。
【００１８】
簡易式便器１の材料としてはどのようなものでも良いが、例えば樹脂製のプラスチック等を好適に用いることができる。
【００１９】
また、本発明の簡易式便所は、上述した簡易式便器１と、簡易式便器１の周囲を囲む複数の間仕切板７と、この間仕切板７の周囲を覆うカバーとで主に構成される。
【００２０】
間仕切板７は、例えば図４に示すように、木材等を日の字状に組んだ第１の間仕切板７１を３枚と、ロ字状に組んだ第２の間仕切板７２を一枚の合計４枚を用いれば良い。そして、この４枚の間仕切板７を結合手段８で方形状に結合することで、簡易式便所となる部屋の骨組みを形成することができる。なお、間仕切版７は、簡易式便器１の周囲を囲むと共に、口述するカバーを支持することができるものであればどのようなものでも良く、例えば、円筒状のものや円錐状のもの等を用いることも勿論可能である。
【００２１】
結合手段８は、例えば図５に示すように、２つの面を有さない略立方体の箱８１を２つ直角方向に組み合わせた形状であって、図６に示すように、２枚の間仕切板７を直角方向に嵌合する嵌合部材を用いることができる。なお、結合手段８はどのようなものでも良く、例えば、２枚の間仕切板７を折り畳み可能に結合する蝶番と、上述した嵌合部材との組み合わせでも良い。この場合、２枚の間仕切板７を蝶番で結合したもの２組を上述した嵌合部材で結合することになる。
【００２２】
また、間仕切板７には、夜間等に光りを照らすことができるように、懐中電灯を引っかける継止部、例えばＬ字金具等を設けることもできる。更に、図７に示すような、一般的なハンガーの一端にＪ字状の係止部１２を形成し、ここにハンガーの底部１３が弾性力をもって引っかかるように形成したトイレットペーパ用ハンガー１１をこの継止部に引っかけても良い。この場合、ハンガーの底部１３を係止部１２から外してトイレットペーパ１５の筒状の穴１５ａに通し、次に底部１３を係止部１２に引っ掛けてトイレットペーパ１５を装着すれば良い。
【００２３】
カバー９は、図８に示すように、間仕切板７の内部と外部とをつなぐ通路９５を作る開閉手段９１を有すると共に、間仕切板７の周囲を覆うものである。
【００２４】
開閉手段９１は、図８に示すように、間仕切板７で形成した骨組みを覆う際に、上述した第２の間仕切板７２の外側と内側との間を出入りできる通路９５を形成するためのもので、例えばマジックテープ（登録商標）やファスナー、釦等を用いることができる。
【００２５】
また、カバー９は、間仕切板７で形成した骨組みを覆う際に、上部９２が透明又は半透明に形成されると共に、側部９３が不透明に形成される方が好ましい。これにより、外側から内部を見ることができないようにすると共に、外光を上部から取り入れることができる。
【００２６】
なお、上記実施例では、間仕切板を日の字状、ロ字状に形成したが、全面を板材に形成することも可能である。これにより、カバー９を設けることなく、外部から内部を見ることができない構造とすることができる。
【図面の簡単な説明】
【００２７】
【図１】本発明の簡易式便器を示す概略平面図である。
【図２】図１の簡易式便器をＩ−Ｉ線矢印方向に見た概略断面図である。
【図３】本発明の基台を示す概略斜視図である。
【図４】本発明の間仕切板を示す概略斜視図である。
【図５】本発明の結合手段を示す概略斜視図である。
【図６】本発明の結合手段が間仕切板を結合する状態を示す概略断面図である。
【図７】トイレットペーパ用ハンガーを示す概略斜視図である。
【図８】本発明の簡易式便所の外観を示す概略斜視図である。
【符号の説明】
【００２８】
１  簡易式便器
２  便器本体
３  便座
４  着脱部
５  排出部
６  基台
７  間仕切板
８  結合手段
９  カバー
９１  開閉手段
９２  上部
９３  側部
９５  通路
１００  ポリタンク
【図１】
2007061114.tif 000003
【図２】
2007061114.tif 000004
【図３】
2007061114.tif 000005
【図４】
2007061114.tif 000006
【図５】
2007061114.tif 000007
【図６】
2007061114.tif 000008
【図７】
2007061114.tif 000009
【図８】
2007061114.tif 000010